(57)【要約】【課題】コネクタにおけるソケットを回転させることにより、電話回線の設置方向を変更する電話回線用回転式コネクタを提供する。【解決手段】一つの連結体（１０）と二つの回転体（２０）（３０）からなる電話回線用回転式コネクタであって、連結体（１０）の後部にプラグ（１１）が設けられると共に、両側に夫々ソケット（２０１）（３０１）を有する回転体（２０）（３０）が回転自在に設置され、それら回転体（２０）（３０）と連結体（１０）は内部に設置される接続ワイヤー（２３）（３３）によって連結することを特徴とする。【選択図】　図２
0003098816.tif 000002
【実用新案登録請求の範囲】
【請求項１】
一つの連結体（１０）と二つの回転体（２０）（３０）からなる電話回線用回転式コネクタであって、
連結体（１０）の後部にプラグ（１１）が設けられると共に、両側に夫々ソケット（２０１）（３０１）を有する回転体（２０）（３０）が回転自在に設置され、それら回転体（２０）（３０）と連結体（１０）は内部に設置される接続ワイヤー（２３）（３３）によって連結することを特徴とする電話回線用回転式コネクタ。
【請求項２】
前記プラグ（１１）が設けられる連結体（１０）の両側に夫々連結壁（１２）が設けられると共に、連結壁（１２）の中央に円孔（１４）が形成され、その円孔（１４）の周縁に係合縁（１５）及び摺動溝（１６）が設けられ、
回転体（２０）（３０）の前面にソケット（２０１）（３０１）が形成されると共に、回転体（２０）（３０）の相対する側に連結壁（２１）（３１）と、接続ワイヤー（２３）（３３）を設けるための孔（２２）（３２）が設けられ、各連結壁（２１）（３１）に連結体（１０）の係合縁（１５）と摺動溝（１６）に対応して摺動溝（２５）（３５）を有する係合ブロック（２４）（３４）及び係合縁（２７）（３７）を有する係合ブロック（２６）（３６）が設けられることを特徴とする請求項１に記載の電話回線用回転式コネクタ。
【請求項３】
前記連結体（１０）における連結壁（１２）の上側左右に位置決め凹部（１３）が形成されると共に、回転体（２０）（３０）における連結壁（２１）（３１）の四つ角に夫々連結体（１０）の位置決め凹部（１３）への位置決めに使用する位置決めブロック（２８）が設けられることを特徴とする請求項２に記載の電話回線用回転式コネクタ。
【考案の詳細な説明】
【０００１】
【考案の属する技術分野】
本考案は、電話回線用コネクタのソケットを回転させることにより、電話回線の設置方向を変更することができる、電話回線用回転式コネクタに関する技術である。
【０００２】
【従来の技術】
従来から電話は、壁に設けられる電話回線用コンセントに接続して使用し、複数のソケットを有する電話回線用コネクタを用いることにより、複数の電話を同時に使用することができる。
【０００３】
【考案が解決しようとする課題】
しかしながら、従来の電話回線用コネクタは、複数のソケットを有する固定式コネクタであるので、使用上、以下のような欠点を有する。
１．電話回線用コネクタの各ソケットは、同一方向に向かって開口しているので、異なる方向からの電話回線の接続が難しく、且つ接続状態における見た目も悪い。
２．電話回線用コネクタへの電話回線の接続は、すべて同一の方向からであるので、不注意により使用者が、電話回線やコネクタに接触して、電話回線がコネクタから脱落してしまうことがある。
【０００４】
そこで、案出されたのが本考案であって、コネクタのソケットを回転させることにより、電話回線の設置方向を変更することができる、電話回線用回転式コネクタを提供することを目的としている。
【０００５】
【課題を解決するための手段】
上述した課題を解決するために、本考案は、以下の手段を用いた。
請求項１の考案は、一つの連結体（１０）と二つの回転体（２０）（３０）からなる電話回線用回転式コネクタであって、
連結体（１０）の後部にプラグ（１１）が設けられると共に、両側に夫々ソケット（２０１）（３０１）を有する回転体（２０）（３０）が回転自在に設置され、それら回転体（２０）（３０）と連結体（１０）は内部に設置される接続ワイヤー（２３）（３３）によって連結することを特徴とする電話回線用回転式コネクタである。
請求項２の考案は、前記プラグ（１１）が設けられる連結体（１０）の両側に夫々連結壁（１２）が設けられると共に、連結壁（１２）の中央に円孔（１４）が形成され、その円孔（１４）の周縁に係合縁（１５）及び摺動溝（１６）が設けられ、
回転体（２０）（３０）の前面にソケット（２０１）（３０１）が形成されると共に、回転体（２０）（３０）の相対する側に連結壁（２１）（３１）と、接続ワイヤー（２３）（３３）を設けるための孔（２２）（３２）が設けられ、各連結壁（２１）（３１）に連結体（１０）の係合縁（１５）と摺動溝（１６）に対応して摺動溝（２５）（３５）を有する係合ブロック（２４）（３４）及び係合縁（２７）（３７）を有する係合ブロック（２６）（３６）が設けられることを特徴とする請求項１に記載の電話回線用回転式コネクタである。
請求項３の考案は、前記連結体（１０）における連結壁（１２）の上側左右に位置決め凹部（１３）が形成されると共に、回転体（２０）（３０）における連結壁（２１）（３１）の四つ角に夫々連結体（１０）の位置決め凹部（１３）への位置決めに使用する位置決めブロック（２８）が設けられることを特徴とする請求項２に記載の電話回線用回転式コネクタである。
【０００６】
【作用】
本考案は、上記の課題を解決するものであり、連結体の係合縁と摺動溝と、回転体の摺動溝を有する係合ブロック、及び、係合縁を有する係合ブロックを組合せることにより、回転体を連結体に対して回転させることができるため、使用上非常に便利である。
【０００７】
【考案の実施の形態】
以下、添付図面を参照して、本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案の電話回線用回転式コネクタの斜視図であり、図２及び図３は本考案の電話回線用回転式コネクタの分解斜視図であり、図４は本考案の電話回線用回転式コネクタの使用状態を示す斜視図である。
【０００９】
図１乃至図３に示すように、本考案の電話回線用回転式コネクタは、一つの連結体（１０）と、二つの回転体（２０）（３０）からなる。連結体（１０）の後部には、壁に設けられた電話回線用コンセント（符号なし）に挿入するプラグ（１１）が設けられると共に、両側に夫々連結壁（１２）が設けられ、その連結壁（１２）の上側左右に位置決め凹部（１３）が形成されると共に、中央に円孔（１４）が形成され、該円孔（１４）の周縁に係合縁（１５）と摺動溝（１６）が設けられる。
【００１０】
回転体（２０）（３０）の前面に電話回線のプラグ（符号なし）が挿入されるためソケット（２０１）（３０１）が形成されると共に、回転体（２０）（３０）の相対する側に連結壁（２１）（３１）と、接続ワイヤー（２３）（３３）を設けるための孔（２２）（３２）が設けられ、各接続ワイヤー（２３）（３３）は夫々連結体（１０）と回転体（２０）（３０）に連結する。
【００１１】
又、連結壁（２１）（３１）には、前記係合縁（１５）と摺動溝（１６）に対応する、摺動溝（２５）（３５）を有する係合ブロック（２４）（３４）、及び、係合縁（２７）（３７）を有する係合ブロック（２６）（３６）が設けられ、更に、連結壁（２１）（３１）の四角に前記位置決め凹部（１３）に位置決める、位置決めブロック（２８）が設けられる。
【００１２】
更に、図１及び図２に示すように、本考案の電話回線用回転式コネクタを使用する場合、回転体（２０）（３０）は、夫々連結体（１０）の両側に回転自在に設置すると共に、回転体（２０）（３０）の位置決めブロック（２８）は、連結体（１０）の位置決め凹部（１３）に位置決める。
【００１３】
又、図２及び図４に示すように、本考案の電話回線用回転式コネクタは、連結体（１０）の係合縁（１５）と摺動溝（１６）と、回転体（２０）（３０）の摺動溝（２５）（３５）を有する係合ブロック（２４）（３４）、及び、係合縁（２７）（３７）を有する係合ブロック（２６）（３６）を組合せることにより、回転体（２０）（３０）は、連結体（１０）に対して回転することができる。そのため、回転体（２０）（３０）のソケット（２０１）（３０１）は、それぞれ異なる方向へ向かって設置するができ、電話回線の設置方向も異なることになる。そうすると、電話回線設置の美観性が向上すると共に、不注意によって電話回線やコネクタに接触して、電話回線がコネクタから脱落してしまうことを防止できる。
【００１４】
【考案の効果】
本考案は上記に示すように、連結体の両側に回転体を有し、回転体の一側に電話回線接続用ソケットが形成され、回転体は、連結体に対して回転することができる。そのため、回転体のソケットは、お互いに異なる方向へ向かって設置することができる。これにより、電話回線の設置方向も異なることになり、電話回線設置の美観性が向上すると共に、不注意によって電話回線やコネクタに接触して、電話回線がコネクタから脱落してしまうことを防止できる。
【図面の簡単な説明】
【図１】本考案の電話回線用回転式コネクタの斜視図である。
【図２】本考案の電話回線用回転式コネクタの分解斜視図である。
【図３】本考案の電話回線用回転式コネクタの分解斜視図である。
【図４】本考案の電話回線用回転式コネクタの使用状態を示す斜視図である。
【符号の説明】
１０　　　　連結体
１１　　　　プラグ
１２　　　　連結壁
１３　　　　位置決め凹部
１４　　　　円孔
１５　　　　係合縁
１６　　　　摺動溝
２０　　　　回転体
２０１　　　ソケット
２１　　　　連結壁
２２　　　　孔
２３　　　　接続ワイヤー
２４　　　　係合ブロック
２５　　　　摺動溝
２６　　　　係合ブロック
２７　　　　係合縁
２８　　　　位置決めブロック
３０　　　　回転体
３０１　　　ソケット
３１　　　　連結壁
３２　　　　孔
３３　　　　接続ワイヤー
３４　　　　係合ブロック
３５　　　　摺動溝
３６　　　　係合ブロック
３７　　　　係合縁
【図１】
0003098816.tif 000003
【図２】
0003098816.tif 000004
【図３】
0003098816.tif 000005
【図４】
0003098816.tif 000006